(57)【要約】本発明は、光ディスク（２）を収納したディスクカートリッジであり、光ディスクを収納するとともに、光ディスクの一部を内外周に亘って外方に臨ませるヘッド部用開口部（１３）を設けられたカートリッジ本体（５）と、ヘッド部用開口部を開閉するシャッタ部（２２）を有し、ヘッド部用開口部を閉塞した位置と開放した位置との間に亘って移動可能にカートリッジ本体に取り付けられたシャッタ部材（２１）と、シャッタ部材の一側から延長された連結アーム（３５）に連結された弾性変位片（３６）に設けられ、シャッタ部材がヘッド部用開口部を閉塞した位置にあるとき、カートリッジ本体に設けた移動規制部（４５）に係止させてシャッタ部材のヘッド部用開口部を開放する方向への移動を規制するシャッタ移動規制部（４１）とを備える。【特許請求の範囲】
【請求項１】
ディスクと、
上記ディスクを回転可能に収納するとともに、上記ディスクの一部を内外周に亘って外方に臨ませる記録及び／又は再生用開口部が設けられたカートリッジ本体と、
上記記録及び／又は再生用開口部を開閉するシャッタ部を有し、上記記録及び／又は再生用開口部を閉塞した位置と上記記録及び／又は再生用開口部を開放した位置との間に亘って移動可能に上記カートリッジ本体に取り付けられたシャッタ部材と、
上記シャッタ部材に取り付けられ、上記カートリッジ本体の一側面に対向する移動ガイド片に設けた窓部に臨まされた押圧操作部と、
上記シャッタ部材に取り付けられ、上記押圧操作部を上記カートリッジ本体の外方に付勢する弾性変位片と、
上記シャッタ部材に設けられ、当該シャッタ部材が上記記録及び／又は再生用開口部を閉塞した位置にあるとき、上記カートリッジ本体に設けた移動規制部に係止して上記シャッタ部材の上記記録及び／又は再生用開口部を開放する方向への移動を規制し、上記押圧操作部がカートリッジ本体の内方に向かって押圧されたときには、上記移動規制部への係止が解除される方向に移動するシャッタ移動規制部と
を備えるディスクカートリッジ。
【請求項２】
上記シャッタ部材の一側から延長された連結アームを備え、
上記弾性変位片は、上記連結アームの先端部側に基端部側を固定して上記連結アームに沿って延長するように取り付けられ、
上記押圧操作部は、上記弾性変位片の先端側に先端側に取り付けられていることを特徴とする請求の範囲第１項記載のディスクカートリッジ。
【請求項３】
上記シャッタ移動規制部は、上記弾性変位片に一体に設けられていることを特徴とする請求の範囲第１項記載のディスクカートリッジ。
【請求項４】
上記付勢部材は、上記シャッタ部材の上記記録及び／又は再生用開口部を開放する方向に向かって上記シャッタ部材から延長されていることを特徴とする請求の範囲第１項記載のディスクカートリッジ。
【請求項５】
上記シャッタ移動規制部は、上記シャッタ部材に回動可能に設けられたシャッタ移動規制部材に設けられ、上記シャッタ部材が上記記録及び／又は再生用開口部を閉塞した位置にあるとき、上記カートリッジ本体に設けた移動規制部に係止させて上記シャッタ部材の上記記録及び／又は再生用開口部を開放する方向への移動を規制し、上記シャッタ移動規制部材に設けた押圧操作部がカートリッジ本体の内方に押圧されて上記シャッタ移動規制部材が回動され、上記カートリッジ本体の外方に回動して上記移動規制部への係止を解除することを特徴とする請求の範囲第１項記載のディスクカートリッジ。
【請求項６】
上記移動規制部は、上記ディスクを収納する収納部を構成する円弧状の周壁の一端であることを特徴とする請求の範囲第１項記載のディスクカートリッジ。
【請求項７】
上記シャッタ移動規制部は、上記シャッタ部材が上記記録及び／又は再生用開口部を閉塞する方向に上記カートリッジ本体に対し相対的に移動し、上記移動規制部を通過したとき、弾性復帰して上記上記移動規制部に係止し、上記シャッタ部材の上記記録及び／又は再生用開口部を開放する方向への移動を規制することを特徴とする請求の範囲第１項記載のディスクカートリッジ。
【請求項８】
ディスクと、上記ディスクを回転可能に収納するとともに、上記ディスクの一部を内外周に亘って外方に臨ませる記録及び／又は再生用開口部が設けられたカートリッジ本体と、上記記録及び／又は再生用開口部を開閉するシャッタ部を有し、上記記録及び／又は再生用開口部を閉塞した位置と上記記録及び／又は再生用開口部を開放した位置との間に亘って移動可能に上記カートリッジ本体に取り付けられたシャッタ部材と、上記シャッタ部材に取り付けられ、上記カートリッジ本体の一側面に対向する移動ガイド片に設けた窓部に臨まされた押圧操作部と、上記シャッタ部材に取り付けられ、上記押圧操作部を上記カートリッジ本体の外方に付勢する弾性変位片と、上記シャッタ部材に設けられ、当該シャッタ部材が上記記録及び／又は再生用開口部を閉塞した位置にあるとき、上記カートリッジ本体に設けた移動規制部に係止して上記シャッタ部材の上記記録及び／又は再生用開口部を開放する方向への移動を規制し、上記押圧操作部がカートリッジ本体の内方に向かって押圧されたときには、上記移動規制部への係止が解除される方向に移動するシャッタ移動規制部とを備えるディスクカートリッジが着脱自在に装着されるカートリッジホルダを備え、
上記カートリッジホルダには、上記ディスクカートリッジが挿入されるとき、上記弾性変位片をその付勢力に抗して上記カートリッジ本体の内方に移動させることにより上記シャッタ移動規制部の上記移動規制部への係止を解除し、上記シャッタ部材を上記記録及び／又は再生用開口部を開放する方向に移動させるシャッタ開放操作機構が設けられているディスク記録及び／又は再生装置。
【請求項９】
ディスクと、上記ディスクを回転可能に収納するとともに、上記ディスクの一部を内外周に亘って外方に臨ませる記録及び／又は再生用開口部が設けられたカートリッジ本体と、上記記録及び／又は再生用開口部を開閉するシャッタ部を有し、上記記録及び／又は再生用開口部を閉塞した位置と上記記録及び／又は再生用開口部を開放した位置との間に亘って移動可能に上記カートリッジ本体に取り付けられたシャッタ部材と、上記シャッタ部材の一側から延長された連結アームと、上記連結アームの先端部側に基端部側を固定して上記連結アームに沿って延長するように取り付けられ、先端部側に、上記シャッタ部の基端部側に設けられて上記カートリッジ本体の一側面に対向する移動ガイド片に設けた窓部に臨ませされた押圧操作部が設けられ、上記押圧操作部を上記窓部からカートリッジ本体の外方に突出させるように付勢力が付与された弾性変位片と、上記弾性変位片の中途部に設けられ、上記シャッタ部材が上記記録及び／又は再生用開口部を閉塞した位置にあるとき、上記カートリッジ本体に設けた移動規制部に係止して上記シャッタ部材の上記記録及び／又は再生用開口部を開放する方向への移動を規制し、上記弾性変位片が上記押圧操作部を介して上記付勢力に抗して押圧されたとき、上記弾性変位片ともに回動して上記移動規制部への係止を解除する方向に回動するシャッタ移動規制部とを備えるディスクカートリッジが着脱自在に装着されるカートリッジ装着装置に装着されるディスクカートリッジにおいて、
上記カートリッジ装着装置に装着されたとき、上記弾性変位片をその付勢力に抗して回動して上記シャッタ移動規制部の上記移動規制部への係止を解除するシャッタ開放操作機構の上記弾性変位片を押圧操作する押圧操作部を位置させ、上記シャッタ開放操作機構による上記カートリッジ本体に対する負荷を回避するようにした押圧力回避部を上記カートリッジ本体に設けたことを特徴とするディスクカートリッジ。
【発明の詳細な説明】
【技術分野】
【０００１】  本発明は、情報の記録媒体となる光ディスク等のディスクを収納したディスクカートリッジ及びこのディスクカートリッジを記録媒体に用いるディスク記録及び／又は再生装置に関する。
本出願は、日本国において２００４年４月８日に出願された日本特許出願番号２００４−１１４５９３及び２００４年５月１０日に出願された日本特許出願番号２００４−１４０４７４を基礎として優先権を主張するものであり、これらの出願は参照することにより、本出願に援用される。
【背景技術】
【０００２】  従来、情報の記録媒体となる光ディスク等のディスクを回転可能に収納し、ディスクを収納したままの状態で記録及び／又は再生装置に装着されるディスクカートリッジが広く用いられている。この種のディスクカートリッジは、ディスクをカートリッジ本体に収納することにより、ディスクの保護を図り、記録及び／又は再生装置への装脱を容易に行うことを可能としている。
この種のディスクカートリッジは、ディスクをカートリッジ本体に収納したままの状態で記録及び／又は再生装置に装着可能とすることから、カートリッジ本体には、ディスクを回転操作するためのディスク回転駆動機構を構成するターンテーブルを臨ませるための駆動用開口部と、ディスクの信号記録領域の一部を内外周に亘って外方に臨ませる記録及び／又は再生用開口部が設けられている。
そして、ディスクを収納したディスクカートリッジにあっては、カートリッジ本体に塵埃等が侵入しディスクが汚損されることを防止するため、少なくとも記録及び／又は再生用開口部を開閉するシャッタ部材が設けられている。
また、ディスクカートリッジがディスク記録及び／又は再生装置に装着されない保管時等に記録及び／又は再生用開口部が不用意に開放され、この開口部を介して手指等の異物がカートリッジ本体内に侵入してディスクを損傷してしまうようなことを防止するため、バネ部材等の付勢部材を用いてシャッタ部材を常時記録及び／又は再生用開口部を閉塞する方向に付勢するようにしたものが提供されている。
そして、シャッタ部材を付勢するバネ部材の取り付けを容易にするため、シャッタ部材にバネ部材に一体に設け、シャッタ部材のカートリッジ本体への取り付けと同時にカートリッジ本体に取り付けるようにしたものが特開平３−２１２８７２号公報（特許文献１）、実開昭６２−８３２７４号公報（特許文献２）において提案されている。
そして、特許文献１に開示されるディスクカートリッジは、バネ部材によりシャッタ部材を記録及び／又は再生用開口部を閉塞する方向に付勢するのみであるので、例えば手指でシャッタ部材を把持する等してバネ部材の付勢力に抗して移動させようとすると、記録及び／又は再生用開口部を開放する方向に容易に移動してしまう。
また、特許文献２に記載されるディスクカートリッジは、更に、記録及び／又は再生用開口部を閉塞する位置に移動されたシャッタ部材を閉塞位置にロックするシャッタ移動規制部材が設けられている。このディスクカートリッジによれば、シャッタ部材はシャッタ移動規制部材によりロックされて確実に記録及び／又は再生用開口部を閉塞することができるが、シャッタ移動規制部材は、シャッタ部材とは独立してカートリッジ本体側に取り付けられているため、部品点数が増加するばかりか、組み立ても複雑になってしまう。また、カートリッジ本体内にシャッタ移動規制部材を取り付けるための空間が必要となり、ディスクカートリッジ自体の一層の小型化を図ることが困難となってしまう。
【発明の開示】
【発明が解決しようとする課題】
【０００３】  本発明の目的は、上述したような従来のディスクカートリッジが有する問題点を解決することができる新規なディスクカートリッジ及びこのディスクカートリッジを記録媒体に用いるディスク記録及び／又は再生装置を提供することにある。
本発明の他の目的は、記録及び／又は再生用開口部を確実に閉塞し、カートリッジ本体に収納したディスクの確実な保護を図ることができるディスクカートリッジを提供することにある。
本発明の更に他の目的は、一層の小型化を図ることができるディスクカートリッジを提供することにある。
上述のような目的を達成するために提案される本発明に係るディスクカートリッジは、ディスクを回転可能に収納するとともに、ディスクの一部を内外周に亘って外方に臨ませる記録及び／又は再生用開口部が設けられたカートリッジ本体と、記録及び／又は再生用開口部を開閉するシャッタ部と、カートリッジ本体の一側面に対向する移動ガイド片を有し、記録及び／又は再生用開口部を閉塞した位置と記録及び／又は再生用開口部を開放した位置との間に亘って移動可能にカートリッジ本体に取り付けられたシャッタ部材と、シャッタ部材に取り付けられ、カートリッジ本体の一側面に対向する移動ガイド片に設けた窓部に臨まされた押圧操作部と、シャッタ部材に取り付けられ、押圧操作部をカートリッジ本体の外方に付勢する弾性変位片と、シャッタ部材に設けられ、当該シャッタ部材が記録及び／又は再生用開口部を閉塞した位置にあるとき、カートリッジ本体に設けた移動規制部に係止してシャッタ部材の記録及び／又は再生用開口部を開放する方向への移動を規制し、押圧操作部がカートリッジ本体の内方に向かって押圧されたときには、移動規制部への係止が解除される方向に移動するシャッタ移動規制部とを備える。
このディスクカートリッジにおいて、シャッタ部材の一側から延長された連結アームを備え、弾性変位片は、連結アームの先端部側に基端部側を固定してこの連結アームに沿って延長するように取り付けられ、押圧操作部は、弾性変位片の先端側に先端側に取り付けられている。
また、シャッタ移動規制部は、シャッタ部材に回動可能に設けられたシャッタ移動規制部材に設けるようにしてもよい。シャッタ移動規制部材に設けられたシャッタ移動規制部は、シャッタ部材が記録及び／又は再生用開口部を閉塞した位置にあるとき、カートリッジ本体に設けた移動規制部に係止させてシャッタ部材の記録及び／又は再生用開口部を開放する方向への移動を規制し、シャッタ移動規制部材に設けた押圧操作部がカートリッジ本体の内方に押圧されてシャッタ移動規制部材が回動され、カートリッジ本体の外方に回動して移動規制部への係止を解除する。
更に、シャッタ移動規制部は、シャッタ部材が記録及び／又は再生用開口部を閉塞する方向にカートリッジ本体に対し相対的に移動し、移動規制部を通過したとき、弾性復帰してカートリッジ本体側に設けた移動規制部に係止し、シャッタ部材の記録及び／又は再生用開口部を開放する方向への移動を規制する。
また、本発明に係るディスク記録及び／又は再生装置は、ディスクと、上記ディスクを回転可能に収納するとともに、上記ディスクの一部を内外周に亘って外方に臨ませる記録及び／又は再生用開口部が設けられたカートリッジ本体と、記録及び／又は再生用開口部を開閉するシャッタ部を有し、記録及び／又は再生用開口部を閉塞した位置と記録及び／又は再生用開口部を開放した位置との間に亘って移動可能にカートリッジ本体に取り付けられたシャッタ部材と、このシャッタ部材に取り付けられ、カートリッジ本体の一側面に対向する移動ガイド片に設けた窓部に臨まされた押圧操作部と、シャッタ部材に取り付けられ、押圧操作部をカートリッジ本体の外方に付勢する弾性変位片と、シャッタ部材に設けられ、当該シャッタ部材が記録及び／又は再生用開口部を閉塞した位置にあるとき、カートリッジ本体に設けた移動規制部に係止してシャッタ部材の記録及び／又は再生用開口部を開放する方向への移動を規制し、押圧操作部がカートリッジ本体の内方に向かって押圧されたときには、移動規制部への係止が解除される方向に移動するシャッタ移動規制部とを備えるディスクカートリッジが着脱自在に装着されるカートリッジホルダを備え、カートリッジホルダには、ディスクカートリッジが挿入されるとき、弾性変位片をその付勢力に抗してカートリッジ本体の内方に移動させることによりシャッタ移動規制部の上記移動規制部への係止を解除し、シャッタ部材を記録及び／又は再生用開口部を開放する方向に移動させるシャッタ開放操作機構が設けられている。
本発明に係る他のディスクカートリッジは、ディスクと、ディスクを回転可能に収納するとともに、ディスクの一部を内外周に亘って外方に臨ませる記録及び／又は再生用開口部が設けられたカートリッジ本体と、記録及び／又は再生用開口部を開閉するシャッタ部を有し、記録及び／又は再生用開口部を閉塞した位置と記録及び／又は再生用開口部を開放した位置との間に亘って移動可能にカートリッジ本体に取り付けられたシャッタ部材と、シャッタ部材の一側から延長された連結アームと、この連結アームの先端部側に基端部側を固定して連結アームに沿って延長するように取り付けられ、先端部側に、シャッタ部の基端部側に設けられてカートリッジ本体の一側面に対向する移動ガイド片に設けた窓部に臨ませされた押圧操作部が設けられ、押圧操作部を窓部からカートリッジ本体の外方に突出させるように付勢力が付与された弾性変位片と、弾性変位片の中途部に設けられ、シャッタ部材が記録及び／又は再生用開口部を閉塞した位置にあるとき、カートリッジ本体に設けた移動規制部に係止してシャッタ部材の記録及び／又は再生用開口部を開放する方向への移動を規制し、弾性変位片が上記押圧操作部を介して付勢力に抗して押圧されたとき、弾性変位片ともに回動して移動規制部への係止を解除する方向に回動するシャッタ移動規制部とを備えるディスクカートリッジが着脱自在に装着されるカートリッジ装着装置に装着されるディスクカートリッジであり、カートリッジ装着装置に装着されたとき、弾性変位片をその付勢力に抗して回動してシャッタ移動規制部の移動規制部への係止を解除するシャッタ開放操作機構の弾性変位片を押圧操作する押圧操作部を位置させ、シャッタ開放操作機構によるカートリッジ本体に対する負荷を回避するようにした押圧力回避部をカートリッジ本体に設けている。
本発明に係るディスクカートリッジは、カートリッジ本体に設けた記録及び／又は再生用開口部を開閉するシャッタ部材が記録及び／又は再生用開口部を閉塞した位置にあるとき、シャッタ部材の記録及び／又は再生用開口部を開放する方向への移動を規制するシャッタ移動規制部と、このシャッタ移動規制部をカートリッジ本体に設けた移動規制部に係る方向に付勢する弾性変位片をシャッタ部材に設けるようにしているので、記録及び／又は再生用開口部を閉塞した位置にあるシャッタ部材が開放方向に移動することを規制し、記録及び／又は再生用開口部を確実に閉塞し、カートリッジ本体に収納したディスク状記録媒体の確実な保護を図ることができる。
また、本発明に係るディスクカートリッジは、記録及び／又は再生用開口部を開閉するシャッタ部材に、シャッタ移動規制部とこのシャッタ移動規制部をカートリッジ本体に設けた移動規制部に係止する方向に付勢する付勢部材とを設けるようにしているので、部品点数の削減を図ることができ、更に、シャッタ移動規制部を配置するための空間を設ける必要がなくなるので、ディスクカートリッジ自体の一層の小型化を実現できる。
また、本発明に係るディスクカートリッジを記録媒体に用いるディスク記録及び／又は再生装置は、ディスクカートリッジが、シャッタ部材が移動する一の側面に直交する面側を挿入端として挿入されるカートリッジホルダに挿入されるとき、シャッタ部材の移動ガイド片に設けた窓部に、シャッタ開放操作機構のシャッタ開放操作部が進入して弾性変位片を押圧し、シャッタ移動規制部がカートリッジ本体側に設けた移動規制部に係止しない位置となるように弾性変位させることができるので、シャッタ開放操作機構は、板バネの一端にシャッタ開放操作部を設けた簡単な構成のもので足り、装置自体の構成を簡素化でき、装置自体の小型化を図ることも容易となる。
更に、本発明に係るディスクカートリッジは、記録及び／又は再生用開口部を開閉するシャッタ部材が設けられ、このシャッタ部材を閉塞位置に保持しておく機構が設けられたディスクカートリッジが装着されるカートリッジ装着装置に装着した場合にも、シャッタ開放操作機構からの負荷を受けることなく安定した状態で装着することができる。
本発明の更に他の目的、本発明によって得られる利点は、以下において図面を参照して説明される実施に形態から一層明らかにされるであろう。
【図面の簡単な説明】
【０００４】［図１］図１は、本発明に係るディスクカートリッジを上ハーフ側から見た斜視図である。
［図２］図２は、本発明に係るディスクカートリッジを下ハーフ側から見た斜視図である。
［図３］図３は、本発明に係るディスクカートリッジを下ハーフ側から見た平面図である。
［図４］図４は、シャッタ部材と、シャッタ部材が取り付けられるカートリッジ本体を示す斜視図である。
［図５］図５は、シャッタ移動規制部が設けられた弾性変位片と、この弾性変位片が取り付けられるシャッタ部材を示す斜視図である。
［図６］図６は、シャッタ部材に弾性変位片を取り付けた状態を示す平面図である。
［図７］図７は、シャッタ部材に弾性変位片を取り付けた状態を示す移動ガイド片から見た正面図である。
［図８］図８は、シャッタ部材を上ハーフ側に設けたガイドレール部に取り付けた状態を示す断面図である。
［図９］図９は、シャッタ部材がヘッド部用開口部を閉塞した状態を下ハーフの内面側から見た平面図である。
［図１０］図１０は、シャッタ部材がヘッド部用開口部を開放した位置に移動した状態を下ハーフの内面側から見た平面図である。
［図１１］図１１は、本発明に係るディスクカートリッジが装着されるディスク記録及び／又は再生装置のディスクドライブ部を示す斜視図である。
［図１２］図１２は、カートリッジホルダにディスクカートリッジを挿入した状態を示す平面図である。
［図１３］図１３は、カートリッジホルダにディスクカートリッジを挿入され、シャッタ開放操作機構によりシャッタ移動規制部が回動されて移動規制部へ係合が解除した状態を示す平面図である。
［図１４］図１４は、カートリッジホルダにディスクカートリッジを挿入し、ヘッド部用開口部が開放された状態を示す平面図である。
［図１５］図１５は、シャッタ部材と、シャッタ部材が取り付けられるカートリッジ本体の他の例を示す斜視図である。
［図１６］図１６は、シャッタ移動規制部が設けられ、弾性片により押圧操作されるシャッタ移動規制部材が取り付けられるシャッタ部材を示す斜視図である。
［図１７］図１７は、シャッタ移動規制部材が取り付けられたシャッタ部材を示す平面図である。
［図１８］図１８は、シャッタ部材にシャッタ移動規制部材を取り付けた状態を移動ガイド片から見た正面図である。
［図１９］図１９は、シャッタ部材がヘッド部用開口部を閉塞した状態を下ハーフの内面側から見た平面図である。
［図２０］図２０は、シャッタ開放操作機構によりシャッタ移動規制部材が回動操作され、移動規制部への係合が解除した状態を示す平面図である。
［図２１］図２１は、シャッタ移動規制部材の移動規制部への係合が解除され、シャッタ部材が移動操作されてヘッド部用開口部が開放された状態を示す平面図である。
［図２２］図２２は、シャッタ部材がヘッド部用開口部を開放した位置に移動した状態を下ハーフの内面側から見た平面図である。
［図２３］図２３は、本発明に係る他の例のディスクカートリッジを上ハーフ側から見た斜視図である。
［図２４］図２４は、本発明に係る他の例のディスクカートリッジを下ハーフ側から見た斜視図である。
［図２５］図２５は、本発明に係る他の例のディスクカートリッジをディスク記録及び／又は再生装置のカートリッジホルダに装着した状態を示す平面図である。
［図２６］図２６は、本発明に係る他の例のディスクカートリッジをディスク記録及び／又は再生装置のカートリッジホルダに装着し、シャッタ部材がヘッド部用開口部を開放した位置に移動した状態を下ハーフの内面側から見た平面図である。
【発明を実施するための最良の形態】
【０００５】  以下、本発明に係るディスクカートリッジ及びこのディスクカートリッジを記録媒体に用いるディスク記録及び／又は再生装置の実施の形態を図面を参照して説明する。
まず、本発明に係るディスクカートリッジ１を説明すると、本発明に係るディスクカートリッジ１は、情報記録媒体として用いられるディスクとして、例えば、光ディスク２を回転可能に収納したものであって、図１及び図２に示すように、上下一対のハーフ３，４を突き合わせ結合したカートリッジ本体５を備え、このカートリッジ本体５内に光ディスク２を回転可能に収納している。
本発明に係るディスクカートリッジ１は、例えばテレビジョンゲームを実行するプログラムデータやビデオデータが記録された光ディスク２を収納したものであり、しかも、極めて小型に構成されている。このディスクカートリッジ１は、例えば、直径を６０ｍｍ程度とする小径の光ディスク２を収納したものであって、片手の掌に収納し得る程度の大きさに形成されている。
このディスクカートリッジ１を構成するカートリッジ本体５は、図１乃至図３に示すように、このディスクカートリッジ１が装脱されるディスク記録及び／又は再生装置への挿入端側となる一の側面である前面側を円弧状部７として形成している。この円弧状部７は、図２に示すように、カートリッジ本体５のディスク収納部６に収納された光ディスク２の中心を中心Ｐ０として半径Ｒ１を一定にしたほぼ半円の円弧状に形成されている。すなわち、円弧状部７は、カートリッジ本体５に収納された光ディスク２の半円に相当する部分と対向するような半円として形成されている。
カートリッジ本体５の円弧状部７に連続する相対向する側面は、互いに平行な側面８，９として形成され、円弧状部７と対向する背面側は、なだらかに湾曲して連続する湾曲部１０として形成されている。すなわち、カートリッジ本体５の背面側は、カートリッジ本体５の前面側に構成された半円状の円弧状部７より大きな半径である円弧状部７より曲率が小さい湾曲部１０とされている。
本発明に係るディスクカートリッジ１は、挿入端側となる一の側面である前面を他の面に比し大きく湾曲したほぼ半円の円弧状部７としているので、カートリッジ挿脱口を介してスロットイン方式により装脱が行われるディスク記録及び／又は再生装置へ挿入への挿入を容易に判別できる。特に、掌内に収納できる程度に小型化したディスクカートリッジ１にあっては、手で握った感覚でも挿入方向の識別を行うことができるので、誤挿入を防止して正確にディスク記録及び／又は再生装置に装着することも可能となる。しかも、このディスクカートリッジ１は、後述するように、スロットイン方式のディスク記録及び／又は再生装置へ挿入操作が容易となるばかりか、確実な挿入操作を実現できる。
更に、本発明に係るディスクカートリッジ１は、挿入端側をほぼ半円の円弧状部７とし、更に加えて円弧状部７と対向する背面も湾曲部１０としているので、収納する光ディスク２に対し一層の小型化が実現されている。
そして、本発明に係るディスクカートリッジ１は、カートリッジ本体５の下面側を構成する下ハーフ４の中央部には、図２及び図３に示すように、カートリッジ本体５に収納した光ディスク２の中心部に形成したセンタ穴１１及びその周縁を外方に臨ませる円形の駆動部用開口部１２が形成されている。駆動部用開口部１２は、ディスクカートリッジ１が装着されるディスク記録及び／又は再生装置側に設けられたディスク回転駆動機構の一部を構成する例えばターンテーブルが進入する。すなわち、駆動部用開口部１２は、光ディスク２を回転駆動させるための機構の一部が進入する開口部として機能する。
また、下ハーフ４には、図２及び図３に示すように、記録及び／又は再生用開口部を構成するヘッド部用開口部１３が形成されている。ヘッド部用開口部１３は、カートリッジ本体５の一方の側面８側に位置し、駆動部用開口部１２に近接した位置から側面８に亘って矩形状に形成されている。すなわち、ヘッド部用開口部１３は、カートリッジ本体５に収納された光ディスク２の信号記録領域の一部を内外周に亘って外方に臨ませる足る大きさの矩形状に形成されている。ここで、ヘッド部用開口部１３は、図２に示すように、一方の側面８に位置する側を開放して形成されている。このように、ヘッド部用開口部１３の側面８側が開放されることにより、光ディスク２の最外周位置までヘッド部の走査領域とすることができるので、光ディスク２の信号記録領域を大きくでき、光ディスク２の記録容量を大きくすることができる。また、ヘッド部用開口部１３は、駆動部用開口部１２に連続することなく、駆動部用開口部１２との間に連接部を残して形成されているので、下ハーフ４の機械的強度を維持することができる。
下ハーフ４に突き合わせ結合されてカートリッジ本体５の上面側を構成する上ハーフ３の光ディスク２と対向する面は、図１に示すように、開口部等が設けられることなく平坦な面とされている。
カートリッジ本体５の周面を構成する外周壁１５は、上下ハーフ３，４の突き合わせ面側に形成した立ち上がり周壁１６，１７を突き合わせることによって形成される。
また、下ハーフには、図２及び図３に示すように、このディスクカートリッジ１をディスク記録及び／又は再生装置に装着したとき、装置側に設けた位置決めピンが係合する第１及び第２の位置決め孔１８，１９が設けられている。なお、第１及び第２の位置決め孔１８，１９は、円形に形成されたディスク収納部６と湾曲部１０とにより囲まれた左右の各領域にそれぞれ設けられている。
上述のように構成されたカートリッジ本体５には、図１乃至図３に示すように、ヘッド部用開口部１３を開閉するシャッタ部材２１が取り付けられる。このシャッタ部材２１は、薄い金属板を打ち抜き折り曲げて形成され、若しくは合成樹脂材料を成型して形成されたものであって、図２及び図３及びに示すように、ヘッド部用開口部１３を閉塞する足るに大きさの矩形状に形成した平板状のシャッタ部２２と、このシャッタ部２２の基板部側に形成された断面コ字状に形成されたカートリッジ支持部２３とを備える。シャッタ部２２の先端部には、カートリッジ本体５側に取り付けられるシャッタガイド部材２６により支持されるガイド支持部２４が設けられている。ガイド支持部２４は、図４及び図５に示すように、シャッタ部２２の先端部をカートリッジ本体５側に向かうように折り曲げて形成されている。
ところで、シャッタ部材２１は、カートリッジ本体５を構成する上ハーフ３側に形成されたスライドガイド部２５をカートリッジ支持部２３により支持することによってヘッド部用開口部１３を開閉する図１及び図２中矢印Ａ方向又は矢印Ｂ方向に移動可能に支持される。
シャッタ部材２１が支持されるスライドガイド部２５は、図４に示すように、ヘッド部用開口部１３を開閉するシャッタ部材２１の移動範囲に亘って上ハーフ３に形成されている。このスライドガイド部２５は、上ハーフ３に形成される立ち上がり周壁１６の一部に形成されており、シャッタ部材２１をカートリッジ本体５の一方の側面８の範囲内で支持するように形成されている。
そして、シャッタ部材２１に設けられるカートリッジ支持部２３は、図４及び図５に示すように、シャッタ部２２の基端部から垂直に立ち上がり形成され移動ガイド片２８を有し、この移動ガイド片２８の先端部にシャッタ部２２側に向かって折り曲げられた一対の第１の支持片２９，２９が形成されている。また、移動ガイド片２８の一方の側には、第１の支持片２９，２９が形成された位置より一段低い位置でＬ字状に折り曲げされた第２の支持片３０が設けられている。第２の支持片３０は、第１の支持片２９，２９共にスライドガイド部２５を挟持するように支持する。この第２の支持片３０の先端部には、第１の支持片２９側に突出するように係合片３１が折り曲げ形成されている。
また、移動ガイド片２８の他方の側には、第２の支持片３０と同一の高さ位置に位置されて、シャッタ部２２側に向かって突出するように折り曲げられた折り曲げ片３２が形成されている。この折り曲げ片３２は、第２の支持片３０と同様に、第１の支持片２９，２９とともにスライドガイド部２５を挟持するように支持する支持片として機能する。折り曲げ片３２の一部側には、第１の支持片２９側に向かって突出するように折り曲げられた係合片３３が形成されている。
そして、シャッタ部材２１のカートリッジ支持部２３を構成する移動ガイド片２８の一側から、図４及び図５に示すように、連結アーム３５が延長されている。すなわち、連結アーム３５は、図６に示すように、シャッタ部材２１がカートリッジ本体５に取り付けられたとき、ヘッド部用開口部１３を開放する方向に移動する側に位置する移動ガイド片２８の一側から延長するように形成されている。また、連結アーム３５は、シャッタ部材２１がカートリッジ本体５に取り付けられたとき、円弧状のディスク収納部６の外周面に沿って延在するように湾曲しながら移動ガイド片２８の一側から延長されている。すなわち、連結アーム３５は、シャッタ部２２のガイド支持部２４が設けられた先端側に向かって湾曲しながら延長されている。
そして、連結アーム３５の先端部側には、図６に示すように、基端部側を固定して連結アーム３５に沿って延長するようにして弾性変位片３６が連結されている。弾性変位片３６は、基板部側を連結アーム３５の先端部に溶着若しくは接着等の方法を用いて接合して連結される。このとき、連結アーム３５は、基端部側の折り曲げ部３６ａを連結アーム３５の先端部に突き当て、連結アーム３５に対する位置決めが図られている。
また、弾性変位片３６は、図６及び図７に示すように、シャッタ部２２の基端部側に設けられてカートリッジ本体５の一側面に対向する移動ガイド片２８に設けた窓部３８に至る長さを有するように形成され、窓部３８に臨む先端側に押圧操作部３９が設けられている。押圧操作部３９は、本発明に係るディスクカートリッジ１がディスク記録及び／又は再生装置に装着されるとき、記録及び／又は再生装置側に設けられたシャッタ開放操作機構の一部であるシャッタ開放操作部によって押圧操作される部分である。
更に、弾性変位片３６は、先端部側が移動ガイド片２８の内面に圧接しながら押圧操作部３９が窓部３８から突出するような付勢力が付与されるように連結アーム３５に連結されている。すなわち、弾性変位片３６は、連結アーム３５に連結された基端部側から湾曲しながら移動ガイド片２８に向かって延長され、先端部側が移動ガイド片２８の内面に圧接にされることにより図６中矢印Ｃ方向の付勢力が付与されている。
なお、弾性変位片３６の移動ガイド片２８に沿う部分は、移動ガイド片２８と平行に延長する直線部３６ｂとされている。
そして、弾性変位片３６の中途部には、図６及び図７に示すように、シャッタ移動規制部４１が一体に設けられている。シャッタ移動規制部４１は、弾性変位片３６の直線部３５ｂの基端部側に位置して設けられ、弾性変位片３６の一側から突設した突片の先端部をＬ字状に折り曲げて形成されている。Ｌ字状に折り曲げられた先端部は、後述するように、シャッタ部材２１がカートリッジ本体５に取り付けられたとき、カートリッジ本体５側に設けられる移動規制部４５に当接するなどして係止することによって、ヘッド部用開口部１３を閉塞した位置にあるシャッタ部材２１がヘッド部用開口部１３を開放する方向に移動することを規制する係止部４２となる。
ところで、シャッタ移動規制部４１は、押圧操作部３９が押圧され、弾性変位片３６が図６中矢印Ｄ方向に回動するように弾性変位されると、弾性変位片３６と一体に回動し、係止部４２をカートリッジ本体５側に設けられる移動規制部４５に対し係止する位置から移動させ、シャッタ部材２１がヘッド部用開口部１３を開放する方向に移動可能とする。
なお、弾性変位片３６は、本発明に係るディスクカートリッジ１がディスク記録及び／又は再生装置に装着されるとき、記録及び／又は再生装置側に設けられたシャッタ開放操作機構の一部であるシャッタ開放操作部によって押圧操作部３９が押圧操作されることにより、図６中矢印Ｄ方向に回動するように弾性変位する。
上述のように構成されたシャッタ部材２１は、カートリッジ支持部２３によりスライドガイド部２５を支持してカートリッジ本体５に移動可能に取り付けられる。
ところで、シャッタ部材２１を移動可能に支持するスライドガイド部２５は、図４及び図８に示すように、上ハーフ３に設けられた立ち上がり周壁１６の一部に形成されている。このスライドガイド部２５は、図８に示すように、シャッタ部材２１の移動方向と平行に立ち上がり周壁１６の外側面に形成されたガイド溝５１と、第１及び第２の支持片２９，３０とによって挟持されるように支持されるガイドレール部５２とから構成されている。
そして、ガイドレール部５２の外方側に臨む面は、上ハーフ３の平面に垂直な面とされている。この面は、スライドガイド部２５を構成する移動ガイド片２８の内側面と対向して、シャッタ部材２１の移動方向をガイドする第１のガイド壁５３を構成している。また、ガイドレール部５２の内方側に臨む面は、第１のガイド壁５３と平行な面とされている。この面は、第２の支持片３０及び折り曲げ片３２と対向して、シャッタ部材２１の移動方向をガイドする第２のガイド壁５４を構成している。更に、レール部５２の先端面は、第１及び第２のガイド壁５３，５４に垂直な面とされている。この面は、第２の支持片３０及び折り曲げ片３２と対向して、シャッタ部材２１の移動方向をガイドする第３のガイド壁５５を構成している。更に、レール部５２の第１のガイド壁５４から第２のガイド壁５５に亘る先端側のコーナ部は傾斜面部５６とされている。この傾斜面部５６は、シャッタ部材２１に設けた係合片３１，３３をレール部５２の第２のガイド壁５４側に係合され際の逃げ部として機能する。
このように構成されたスライドガイド部２５にシャッタ部材２１を支持するには、シャッタ部２２を下ハーフ４に設けたヘッド部用開口部１３上に延在するように配置し、次いで、カートリッジ支持部２３をスライドガイド部２５に係合させる。そして、カートリッジ支持部２３をスライドガイド部２５に支持させるには、まず、第１の支持片２９をガイド溝５１に係合し、次いで、係合片３１，３３を傾斜面部５６に沿わせながら、ガイドレール部５２の第２のガイド壁５４側に臨ませる。このように、第１の支持片２９をガイド溝５１に係合し、係合片３１，３３を第２のガイド壁５４側に臨ませることにより、シャッタ部材２１は、図８に示すように、第１の支持片２９と第２の支持片３０及び折り曲げ片３２一部によりガイドレール部５２を挟持するようにして上ハーフ３に移動可能に支持される。
このとき、スライドガイド部２５は、移動ガイド片２８が第１のガイド壁５３に対向し、係合片３１，３３が第２のガイド壁５４に対向し、第２の支持片３０及び折り曲げ片３２が第３のガイド壁５５に対向するので、シャッタ部材２１の移動方向及びこの移動方向と直交するカートリッジ本体５の厚さ方向の移動が規制される。その結果、シャッタ部材２１は、大きなガタ付を発生させることなく、スライドガイド部２５に安定した状態でガイドされて移動可能となる。
また、シャッタ部材２１は、カートリッジ本体５に取り付けられたとき、シャッタ部２２の先端側に設けたガイド支持部２４が、図２に示すように、シャッタガイド部材２６により支持されるので、シャッタ部２２のカートリッジ本体５からの浮き上がりが防止でき、シャッタ部材２１の安定した移動を実現できる。
上述のように、カートリッジ本体５に取り付けられたシャッタ部材２１は、ガイドレール部５２にガイドされて、図３に示すように記録及び／又はヘッド部用開口部１３を閉塞した位置と、図２に示す記録及び／又はヘッド部用開口部１３を開放した位置との間に亘って移動する。
なお、本発明に係るディスクカートリッジ１において、シャッタ部材２１は、カートリッジ本体５の外周面から少なくとも突出しないように取り付けられる。具体的には、シャッタ部材２１は、カートリッジ本体５の外周面との面一となるように取り付けられる。すなわち、下ハーフ４側のシャッタ部２２が移動する領域には、図２及び図３に示すように、凹状のシャッタスライド用凹部５８が形成されている。シャッタスライド用凹部５８は、シャッタ部２２をカートリッジ本体５の表面から突出させないに足る深さをもって形成されている。また、カートリッジ支持部２３の移動ガイド片２８が移動するカートリッジ本体５の一方の側面８側にも、シャッタスライド用凹部５８に連続するガイド片用凹部５９が形成されている。このガイド片用凹部５９も、移動ガイド片２８をカートリッジ本体５の表面から突出させないに足る深さをもって形成されている。
また、シャッタ部材２１は、図３に示すように、記録及び／又はヘッド部用開口部１３を閉塞する位置に移動されたとき、シャッタ部２２の一側がシャッタスライド用凹部５８の立ち上がり面に当接し、更なる閉塞方向への移動が規制される。
上述のようにカートリッジ本体５に移動可能に取り付けられたシャッタ部材２１は、ヘッド部用開口部１３を閉塞した位置に移動されたとき、図９に示すように、弾性変位片３６に設けたシャッタ移動規制部４１に設けた係止部４２がカートリッジ本体５側に設けた移動規制部４５に対向する。そして、シャッタ部材２１がヘッド部用開口部１３を開放する図９中矢印Ａ方向へ移動しようとすると、係止部４２がカートリッジ本体５側に設けた移動規制部４５に当接してシャッタ部材２１の移動を規制し、シャッタ部２２によりヘッド部用開口部１３を閉塞した状態を維持する。
なお、移動規制部４５は、図９に示すように、上ハーフ３に設けられたガイドレール部５２の一部を切り欠くことによって形成されている。
そして、ヘッド部用開口部１３を閉塞した位置にあって移動が規制されたシャッタ部材２１を移動してヘッド部用開口部１３を開放するためには、例えば、ディスク記録及び／又は再生装置のカートリッジホルダ側に設けられたシャッタ開放操作機構のシャッタ開放操作部を窓部３８に進入させ、押圧操作部３９を押圧して弾性変位片３６を図１０中矢印Ｄ方向に弾性変位させる。弾性変位片３６が図１０中矢印Ｄ方向に弾性変位すると、シャッタ移動規制部４１も弾性変位片３６と一体に図１０中矢印Ｄ方向に回動し、係止部４２がカートリッジ本体５側の移動規制部４５に対向しない状態となる。その結果、シャッタ部材２１は、移動規制部４５により移動規制が解除された状態となって、ヘッド部用開口部１３を開放する図１０中矢印Ａ方向の移動が可能な状態となる。
上述したように、本発明に係るディスクカートリッジ１は、ヘッド部用開口部１３を閉塞位置にあるシャッタ部材２１の開放方向への移動が規制されているので、カートリッジ本体５に収納した光ディスクの確実な保護を図ることができる。
また、本発明に係るディスクカートリッジ１は、シャッタ部材２１に、このシャッタ部材２１がヘッド部用開口部１３を開放する方向に移動してしまうことを規制するシャッタ移動規制部４１を設けた弾性変位片３６を取り付けるようにしているので、部品点数の削減を図ることができ、更に、シャッタ移動規制部４１をシャッタ部材２１に取り付けられる弾性変位片３６に一体に設けるようにしているので、カートリッジ本体５内にシャッタ移動規制部４１を配置するための空間を設ける必要がなくなり、ディスクカートリッジ１自体の一層の小型化が実現される。
なお、上述した説明で、シャッタ移動規制部４１は、係止部４２を移動規制部４５に当接させてシャッタ部材２１の移動を規制するようにしているが、移動規制部４５を凹状の溝部を有するようなものとなし、この溝部に係止部４２を係合することによって、シャッタ部材２１の移動を規制するようにしてもよい。すなわち、係止部４２と移動規制部４５とが相対係合するような構成を採用してもよい。
次に、本発明に係るディスクカートリッジ１を記録媒体に用いるディスク記録及び／又は再生装置への装着に関連してシャッタ部材２１を移動操作してヘッド部用開口部１３を開閉する状態を説明する。
本発明に係るディスクカートリッジ１を記録媒体に用いるディスク記録及び／又は再生装置の一例を示す。このディスク記録及び／又は再生装置は、図１１に示すように構成されたディスクドライブ部７１を備える。ディスクドライブ部７１は、装置本体を構成する筐体内に配設されるものであって、矩形状に形成されたベース７２を備える。このベース７２には、このディスク記録及び／又は再生装置に装着されるディスクカートリッジ１に収納された光ディスク２を回転駆動するためのディスク回転駆動機構７３が取り付けられている。このディスク回転駆動機構７３は、光ディスク２が装着されるターンテーブル７４をベース７２の上面に突出するようにしてベース７２に取り付けられている。
また、ベース７２には、ディスク回転駆動機構７３に装着されて回転駆動される光ディスク２の信号記録領域を走査して、この光ディスク２に記録された情報信号の読出しを行う光ヘッド部７５が取り付けられている。
なお、ディスクドライブ部７１が情報信号の記録及び再生を可能とするものとして構成されている場合には、光ヘッド部７５は、記録再生型のものが用いられる。
光ヘッド部７５は、図示しないが、支持機構を介してディスク回転駆動機構７３に装着された光ディスク２の内外周に移動するように支持され、駆動モータを備えた送り機構により、光ディスク２の内外周に亘って送り操作される。
そして、ベース７２の上面側にはカートリッジ装着部７６が構成されている。カートリッジ装着部７６には、一対の位置決めピン７７，７８が設けられるとともに、図示しない一対の支持ピンが設けられている。カートリッジ装着部７６上に装着されるディスクカートリッジ１は、第１及び第２の位置決め孔１８，１９をそれぞれ一対の位置決めピン７７，７８に係合し、支持ピンによって支持されることにより、水平方向及び高さ方向の位置決めが図られる。
また、ベース７２のカートリッジ装着部７６が構成された上面側には、ディスクカートリッジ１を保持し、このディスクカートリッジ１をカートリッジ装着部７６に装脱するカートリッジホルダ８１が設けられている。カートリッジホルダ８１は、上述したディスクカートリッジ１を保持するに足る大きさを有する矩形状に形成され、天板８２の相対向する両側には断面Ｌ字状に形成したカートリッジ支持部８３，８４が設けられている。このカートリッジホルダ８１の開放された前面側は、カートリッジ挿脱口８５とされている。本発明に係るディスクカートリッジ１は、前面側の円弧状部７を挿入端として、カートリッジ挿脱口８５からカートリッジホルダ８１に挿脱される。
このカートリッジホルダ８１は、カートリッジ挿脱口８５が設けられた前面側に対向する背面側の両側に設けた支軸８６を介してベース７２に回動可能に支持されている。
カートリッジホルダ８１に対するディスクカートリッジ１の挿脱は、ベース７２の上方側に回動させた状態で行われる。そして、カートリッジホルダ８１は、ディスクカートリッジ１が挿入保持された状態でベース７２側に回動されることにより、このディスクカートリッジ１をカートリッジ装着部７６に位置決めして装着する。
ところで、カートリッジホルダ８１には、このカートリッジホルダ８１にディスクカートリッジ１が挿入される際、シャッタ部材２１を移動操作してヘッド部用開口部１３を開放操作するシャッタ開放操作機構９１が設けられている。シャッタ開放操作機構９１は、図１２に示すように、一方のカートリッジ支持部８３の外方側の側面に基端部９２ａを固定した長尺な板バネ９２を取り付け、この板バネ９２の先端側にカートリッジホルダ８１内に突出するシャッタ開放操作部９３を設けて構成されている。このシャッタ開放操作部９３は、板バネ９２の先端側の一部を折り返して形成されている。また、シャッタ開放操作部９３は、一方のカートリッジ支持部８３の側面に形成した切り欠き部８３ａを介してカートリッジホルダ８１内に突出している。
シャッタ開放操作機構９１は、カートリッジホルダ８１にディスクカートリッジ１が挿入されるとき、シャッタ部材２１に設けた窓部３８に進入し、押圧操作部３９を押圧して弾性変位片３６を図１０中矢印Ｄ方向に回動させ、移動規制部４５にシャッタ移動規制部４１の係止部４２が当接しないようにして、シャッタ部材２１をヘッド部用開口部１３を開放する方向に移動操作する。
上述したようなシャッタ開放操作機構９１を備えたカートリッジホルダ８１に本発明に係るディスクカートリッジ１が挿入されることにより、シャッタ部材２１が移動操作され、ヘッド部用開口部１３が開放される状態を更に具体的に説明する。
円弧状部７側を挿入端として、ディスクカートリッジ１をカートリッジホルダ８１に挿入していくと、図１２に示すように、シャッタ開放操作部９３がシャッタ部材２１の移動ガイド片２８上に乗り上げていく。このとき、板バネ９２は、シャッタ開放操作部９３が移動ガイド片２８により押圧されることにより、シャッタ開放操作部９３をカートリッジホルダ８１の外方に逃がすように、図１２中矢印Ｅ方向に弾性変位される。
図１２に示す状態から更にディスクカートリッジ１を図１２中矢印Ｇ方向のカートリッジホルダ８１の内方に挿入していき、シャッタ開放操作部９３が移動ガイド片２８に設けた窓部３８に対向する位置に至ると、弾性変位されていた板バネ９２が、図１３中矢印Ｆ方向に弾性復帰し、先端側のシャッタ開放操作部９３が窓部３８内に進入する。窓部３８に進入したシャッタ開放操作部９３は、押圧操作部３９を押圧して弾性変位片３６を図１３中矢印Ｄ方向に弾性変位させる。弾性変位片３６が図１３中矢印Ｄ方向に弾性変位すると、シャッタ移動規制部４１が同方向に回動し、係止部４２が移動規制部４５に対向しない状態となる。その結果、シャッタ部材２１は、カートリッジ本体５側の移動規制部４５により移動規制が解除された状態となる。このとき、シャッタ部材２１は、窓部３８にシャッタ開放操作部９３が係合された状態におかれる。この状態から更にディスクカートリッジ１をカートリッジホルダ８１の内方に挿入すると、カートリッジ本体５がシャッタ部材２１に対し相対移動し、図１３に示すように、ヘッド部用開口部１３が開放されていく。そして、ディスクカートリッジ１が、カートリッジホルダ８１の所定の挿入位置まで挿入されると、図１０及び図１４に示すように、ヘッド部用開口部１３の全部が開放された状態となる。
ところで、シャッタ開放操作部９３は、ディスクカートリッジ１がカートリッジホルダ８１に挿入された状態にあるとき、窓部３８に係合した状態を維持するので、シャッタ部材２１は、ヘッド部用開口部１３を開放した位置に保持される。
このようにヘッド部用開口部１３が開放されたカートリッジホルダ８１に挿入されたディスクカートリッジは、カートリッジホルダ８１がカートリッジ装着部７６側に回動されることにより、上述したようにカートリッジ装着部７６に位置決めして装着される。
ディスクカートリッジ１がカートリッジ装着部７６に装着されることにより、ディスクカートリッジ１に収納された光ディスク２は、ターンテーブル７４に装着され、ディスク回転駆動機構７３によって回転駆動可能な状態となる。このとき、開放されたヘッド部用開口部１３を介して光ヘッド部７５が光ディスク２に対向する。この状態でディスク回転駆動機構７３を駆動し、光ヘッド部７５を動作させることにより、光ディスク２に記録された情報信号の再生が可能となる。
そして、カートリッジ装着部７６に装着されたディスクカートリッジ１をイジェクトするには、光ディスク２の再生動作を停止し、ディスク記録及び／又は再生装置に設けられたイジェクト機構を操作し、カートリッジホルダ８１をカートリッジ装着部７６から離間したベース７２から上昇した位置に回動させると、ディスクカートリッジ１の背面側がカートリッジ挿脱口８５から突出する。カートリッジ挿脱口８５から突出した部分を把持してディスクカートリッジ１をカートリッジホルダ８１から引き出すと、シャッタ開放操作機構９１により保持されているシャッタ部材２１に対しカートリッジ本体５が図１４中矢印Ｈ方向に相対移動し、シャッタ部材２１がヘッド部用開口部１３を閉塞した位置に移動する。ここから更にディスクカートリッジ１をカートリッジホルダ８１から引き出すと、シャッタ開放操作部９３が窓部３８から離脱し、押圧操作部３９の押圧を解除する。押圧操作部３９の押圧が解除された弾性変位片３６は、自身の付勢力により弾性復帰する。そして、シャッタ移動規制部４１は、弾性変位片３６とともに回動し、図１２に示すように、係止部４２をカートリッジ本体５側に設けた移動規制部４５に当接させてシャッタ部材２１の移動を規制する状態となし、シャッタ部２２によりヘッド部用開口部１３を閉塞した状態を維持するようになる。
このように、本発明に係るディスクカートリッジ１を用いるディスク記録及び／又は再生装置は、シャッタ開放操作機構９１として、板バネ９２の一端にシャッタ開放操作部９３を設けた簡単な構成のものを用いるので足りるので、装置自体の構成を簡素化でき、装置自体の小型化を図ることも容易となる。
上述したディスクカートリッジ１は、シャッタ部材２１がヘッド部用開口部１３を閉塞した位置にあるとき、ヘッド部用開口部１３を開放する方向へ移動することを規制するシャッタ移動規制部４１を弾性変位片３６に一体に設けるようにしているが、弾性変位片３６とは独立してシャッタ部材２１に設けるようにしてもよい。
そこで、ヘッド部用開口部１３を閉塞した位置にあるシャッタ部材２１の開放方向への移動を規制するシャッタ移動規制部が設けられたシャッタ移動規制部材１０１をシャッタ部材２１に設けた例を図１５及び図１６を参照して説明する。
なお、前述したディスクカートリッジ１と共通する部分には、共通の符号を付して詳細な説明は省略する。
本例のディスクカートリッジ１００に用いられるシャッタ移動規制部材１０１は、図１４及び図１５に示すように、薄板状の金属板を打ち抜き折り曲げて形成されたものであって、一端側に押圧操作部１０２が設けられ、他端側に係止部１０３が設けられている。押圧操作部１０２は、シャッタ移動規制部材１０１の一端側の一側をほぼ垂直に折り曲げることによって形成されている。この押圧操作部１０２は、本発明に係るディスクカートリッジ１がディスク記録及び／又は再生装置に装着されるとき、記録及び／又は再生装置側に設けられたシャッタ開放操作機構の一部であるシャッタ開放操作部によって押圧操作される。
なお、本例のディスクカートリッジ１００においては、弾性変位片３６の先端側に設けられる押圧操作部３９は、シャッタ移動規制部材１０１を押圧操作する部分となる。
また、係止部１０３は、シャッタ移動規制部材１０１の他端側の一側をほぼ垂直に折り曲げることによって形成される。この係止部１０３は、後述するように、シャッタ部材２１がカートリッジ本体５に取り付けられたとき、カートリッジ本体５側に設けられる係止部に係止し、ヘッド部用開口部１３を閉塞した位置にあるシャッタ部材２１がヘッド部用開口部１３を開放する方向に移動することを規制するシャッタ移動規制部となる。
そして、シャッタ移動規制部材１０１は、図１７及び図１８に示すように、シャッタ部材２１をカートリッジ本体５に取り付けたとき、カートリッジ本体５の一方の側面８に対向する移動ガイド片２８に設けた窓部３８に押圧操作部１０２を臨ませて折り曲げ片３２に取り付けられる。このとき、他端側に設けた係止部１０３は、シャッタ部材２１の折り曲げ片３２が設けられた他方の側から突出するように位置される。
また、シャッタ移動規制部材１０１は、折り曲げ片３２の中央部にバーリング加工を施して形成した筒状の突出部１０４に、中央部に穿設した貫通孔１０５を挿通し、突出部１０４の先端を押し潰し変形するカシメ加工を施すことによって、突出部１０４を中心にして回動可能に折り曲げ片３２に取り付けられる。
そして、シャッタ移動規制部材１０１は、押圧操作部１０２を移動ガイド片２８と弾性変位片３６との間に位置させて折り曲げ片３２に取り付けられることにより、押圧操作部１０２の背面側が弾性変位片３６により押圧されることになり、この押圧操作部１０２が窓部３８から突出する方向の図１７中矢印Ｃ方向に回動付勢された状態に置かれる。シャッタ移動規制部材１０１は、押圧操作部１０２が弾性変位片３６の付勢力に抗して押圧されることにより、突出部１０４を中心にして図１７中矢印Ｄ方向に回動される。
なお、押圧操作部１０２の押圧操作は、本発明に係るディスクカートリッジ１００が記録媒体として用いられるディスク記録及び／又は再生装置のカートリッジホルダに、このディスクカートリッジ１００が挿入されるとき、カートリッジホルダ側に設けられたシャッタ開放操作機構９１のシャッタ開放操作部が窓部３８に進入することによって行われる。
上述したように、シャッタ部材２１に回動可能に取り付けられたシャッタ移動規制部材１０１は、シャッタ部材２１がヘッド部用開口部１３を閉塞した位置に移動されたとき、図１９に示すように、シャッタ移動規制部材１０１に設けた係止部１０３がカートリッジ本体５側に設けた移動規制部６１に対向する。そして、シャッタ部材２１がヘッド部用開口部１３を開放する図１９中矢印Ａ方向へ移動しようとすると、係止部１０３がカートリッジ本体５側に設けた移動規制部６１に当接してシャッタ部材２１の移動を規制し、シャッタ部２２によりヘッド部用開口部１３を閉塞した状態を維持する。
なお、移動規制部６１は、図１９に示すように、下ハーフ４の内面に突設した突出片により構成されている。本例においては、移動規制部６１は、ディスク収納部６を構成する円弧状の周壁６ａのヘッド部用開口部１３に臨む一端側に連続して形成されている。
そして、ヘッド部用開口部１３を閉塞した位置にあって移動が規制されたシャッタ部材２１を移動してヘッド部用開口部１３を開放するためには、例えば、前述したと同様のディスク記録及び／又は再生装置のカートリッジホルダ８１側に設けられたシャッタ開放操作機構のシャッタ開放操作部を窓部３８に進入させ、押圧操作部１０２を押圧し、係止部１０３を図１９、図２０中矢印Ｄ方向に回動させる。シャッタ移動規制部材１０１が図２０中矢印Ｄ方向に回動すると、係止部１０３がカートリッジ本体５の一方の側面８側に移動し、移動規制部６１に対向しない係止が解除された状態となる。その結果、シャッタ部材２１は、移動規制部６１により移動規制が解除された状態となって、ヘッド部用開口部１３を開放する図２０中矢印Ａ方向の移動が可能な状態となる。
図２０に示す状態から更にディスクカートリッジ１をカートリッジホルダ８１の内方に挿入すると、カートリッジ本体５がシャッタ部材２１に対し相対移動し、ヘッド部用開口部１３が開放されていく。そして、ディスクカートリッジ１が、カートリッジホルダ８１の所定の挿入位置まで挿入されると、図２１、図２２に示すように、ヘッド部用開口部１３の全部が開放された状態となる。
そして、図１１に示すように構成されたディスク記録及び／又は再生装置のカートリッジ装着部に装着されたディスクカートリッジ１をイジェクトするには、前述した例と同様に、光ディスク２の再生動作を停止し、ディスク記録及び／又は再生装置に設けられたイジェクト機構を操作し、カートリッジホルダ８１をカートリッジ装着部７６から離間したベース７２から上昇した位置に回動させると、ディスクカートリッジ１の背面側がカートリッジ挿脱口８５から突出する。カートリッジ挿脱口８５から突出した部分を把持してディスクカートリッジ１をカートリッジホルダ８１から引き出すと、シャッタ開放操作機構９１により保持されているシャッタ部材２１に対しカートリッジ本体５が図２２中矢印Ｈ方向に相対移動し、シャッタ部材２１がヘッド部用開口部１３を閉塞した位置に移動する。ここから更にディスクカートリッジ１をカートリッジホルダ８１から引き出すと、シャッタ開放操作部９３が窓部３８から離脱し、押圧操作部１０２の押圧を解除する。押圧操作部１０２の押圧が解除されると、シャッタ移動規制部材１０１は、押圧操作部１０２の背面側を押圧する弾性変位片３６の付勢力を受けて、突出部１０４に挿通した貫通孔１０５を中心にして図１７、図１９中矢印Ｃ方向に回動する。このシャッタ移動規制部材１０１の回動により、係止部１０３がカートリッジ本体５側に設けた移動規制部６１に当接してシャッタ部材２１の移動を規制し、図１９に示すように、シャッタ部２２によりヘッド部用開口部１３を閉塞した状態となる。
ところで、ディスクカートリッジ１をカートリッジホルダ８１からイジェクト操作する際、シャッタ移動規制部材１０１は、カートリッジホルダ８１に設けたシャッタ開放操作機構９１のシャッタ開放操作部９３により押圧操作された状態にあって、係止部１０３をカートリッジ本体５側の移動規制部６１から離間させた状態におかれている。すなわち、シャッタ部材２１がヘッド部用開口部１３を閉塞した位置に移動する係止部１０３が移動規制部６１を通過するまで、係止部１０３は移動規制部６１から離間した状態におかれる。そして、係止部１０３が移動規制部６１を通過し、シャッタ部材２１がヘッド部用開口部１３を閉塞した位置に移動した後、更にカートリッジ本体５をカートリッジホルダ８１から引き出すと、シャッタ開放操作機構９１によるシャッタ移動規制部材１０１の押圧操作が解除され、シャッタ移動規制部材１０１が図１７、図１９中矢印Ｃ方向に回動し、係止部１０３がカートリッジ本体５側に設けた移動規制部６１に当接してシャッタ部材２１の移動を規制する状態となる。
上述したように、本例のディスクカートリッジ１００も、ヘッド部用開口部１３を閉塞位置にあるシャッタ部材２１の開放方向への移動が規制されているので、カートリッジ本体５に収納した光ディスクの確実な保護を図ることができる。
ところで、収納するディスクの小型化が図られ、このディスクを収納するカートリッジ本体の小型化が図られたディスクカートリッジにおいては、製造の容易化や製造コストの低廉化を図るため、構成自体の簡素化も要求される。
そこで、本発明に係る他のディスクカートリッジは、シャッタ部材を設けることなくヘッド部用開口部を開放したままに構成したものであり、上述したシャッタ部材２１を備えるディスクカートリッジ１が装着されるカートリッジ装着装置を備えたディスク記録及び／又は再生装置に互換性をもって装着できるように構成されたものである。
シャッタ部材を設けることなく構成された本発明に他のディスクカートリッジ２０１は、前述したディスクカートリッジ１と外形形状を共通にして形成されている。また、このディスクカートリッジ２０１は、基本的な構成を上述したディスクカートリッジ１と共通にする。したがって、以下の説明では、共通する部分には共通の符号を付して詳細な説明は省略する。
シャッタ部材を設けることなく構成された本発明に係るディスクカートリッジ２０１も前述したディスクカートリッジ１と同様に、図２３及び図２４に示すように、上下一対のハーフ３，４を突き合わせ結合したカートリッジ本体５を備え、このカートリッジ本体５内に光ディスク２を回転可能に収納している。
このディスクカートリッジ２０１を構成するカートリッジ本体５は、図２３及び図２４に示すように、このディスクカートリッジ２０１が装脱されるディスク記録及び／又は再生装置への挿入端側となる一側面である前面側を円弧状部７として形成している。
カートリッジ本体５の円弧状部７に連続する相対向する側面は、互いに平行な側面８，９として形成され、円弧状部７と対向する背面側は、なだらかに湾曲して連続した湾曲部１０として形成されている。すなわち、カートリッジ本体５の背面側は、カートリッジ本体５の前面側に構成された半円状の円弧状部７より大きな半径、すなわち、円弧状部７より曲率が小さい湾曲部１０とされている。
このディスクカートリッジ２０１においても、カートリッジ本体５の下面側を構成する下ハーフ４の中央部には、図２４に示すように、カートリッジ本体５に収納した光ディスク２の中心部に形成したセンタ穴１１及びその周縁を外方に臨ませる円形のディスク駆動部用開口部１２が形成されている。
また、下ハーフ４には、図２４に示すように、記録及び／又は再生用開口部を構成するヘッド部用開口部１３が形成されている。ヘッド部用開口部２１３は、カートリッジ本体５の一方の側面８側に位置し、ディスク駆動部用開口部１２に近接した位置から側面８に亘って矩形状に形成されている。すなわち、ヘッド部用開口部２１３は、カートリッジ本体５に収納された光ディスク２の信号記録領域の一部を内外周に亘って外方に臨ませる足る大きさの矩形状に形成されている。このヘッド部用開口部２１３も、図２４に示すように、一方の側面８に位置するカートリッジ本体５の外周縁側を開放して形成されている。また、ヘッド部用開口部２１３は、ディスク駆動部用開口部１２に連続することなく、ディスク駆動部用開口部１２との間に連接部１４を残して形成されているので、下ハーフ４の機械的強度を維持することができる。
本例のディスクカートリッジ２０１は、ヘッド部用開口部２１３を開閉するシャッタ部材を設けることなく構成されているので、カートリッジ本体５の下面を構成する下ハーフ４の外方側の面も、図２４に示すように、駆動部用開口部１２及びヘッド部用開口部２１３が形成された部分を除いて平坦な面として形成されている。
ところで、本例のディスクカートリッジ１０１に設けたヘッド部用開口部２１３は、図２４及び図２５に示すように、前述したディスクカートリッジ１に形成したヘッド部用開口部１３よりも大きく形成されている。本例のディスクカートリッジ２０１に設けたヘッド部用開口部２１３は、カートリッジ本体５の挿入端側から背面側に至る前後方向の中心より挿入端側の領域を大きく開放して形成されている。これは、このディスクカートリッジ２０１に収納した光ディスク２の信号記録領域を光ビームにより走査する光ヘッド部をカートリッジ本体５内に進入させ、光ディスク２に近接させるようにするためである。
このように、光ヘッドを光ディスク２に近接させることができるので、開口数（ＮＡ）の大きな対物レンズを用いた光ヘッド部により光ディスク２の走査を行うことができるので、光ディスク２の高密度化が図られ、更に、このディスクカートリッジ１０１を用いる記録及び／又は再生装置の薄型化も可能となる。
そして、本例のディスクカートリッジ２０１は、シャッタ部材を設けることなく構成されているので、ヘッド部用開口部２１３の開放側が臨むカートリッジ本体５の一方の側面８も、図２３及び図２４に示すように、ヘッド部用開口部２１３が形成された部分を除いて外周壁１５の外周面に連続する平坦な面とされている。また、このディスクカートリッジ２０１は、シャッタ部材２１を設けたディスクカートリッジ１と外形形状を共通に形成されているので、前述したシャッタ部材２１を備えたディスクカートリッジ１が装着されるディスク記録及び／又は再生装置に設けられるカートリッジ装着装置を構成するカートリッジホルダ８１に挿入操作されるとき、カートリッジホルダ８１に設けたシャッタ開放操作機構９１によりカートリッジ本体５の一方の側面８が直接押圧された状態になる。更に、カートリッジホルダ８１の所定位置に装着された状態においても、シャッタ開放操作機構９１による押圧力を受けたままの状態におかれる。すなわち、本例のディスクカートリッジ２０１は、シャッタ部材が存在しないので、シャッタ開放操作機構９１が直接カートリッジ本体５を押圧してしまう。
そこで、本例のディスクカートリッジ２０１は、前述したシャッタ部材２１を備えたディスクカートリッジ１が装着されるカートリッジホルダ８１に装着されたとき、シャッタ開放操作機構９１から押圧力を回避するための押圧力回避部２０２が設けられている。押圧力回避部２０２は、図２６に示すように、ディスクカートリッジ２０１がカートリッジホルダ８１の所定装着位置に装着されたとき、シャッタ開放操作機構９１を構成する板バネ９２に設けたシャッタ開放操作部９３と対向する位置に設けられる。
押圧力回避部２０２は、カートリッジ本体５の一方の側面８の下ハーフ４側の部分に凹部として形成されている。この押圧力回避部２０２は、シャッタ開放操作機構９１からの押圧力を回避するためのものであるので、シャッタ開放操作部９３がカートリッジ本体５に接触しないようにするための形状及び深さの凹部として形成されている。
すなわち、押圧力回避部２０２は、押圧力回避部２０２が一旦係合したとき容易に抜けないようにするため凹部として形成されている。そして、押圧力回避部２０２が係合するときには、板バネ９２を弾性変位させながら押圧力回避部２０２の一方の立ち上がり部を乗り上げるようにして係合していく。
なお、押圧力回避部２０２は、シャッタ開放操作部９３の進入を容易にするため、シャッタ開放操作部９３の進入側をなだらかな傾斜面２０２ａとしている。
また、押圧力回避部２０２は、カートリッジ本体３の一方の側面８を構成する立ち上がり周壁１５の一部を切り欠いた切り欠き部として形成したものであってもよい。
本例のディスクカートリッジ２０１は、ヘッド部用開口部１３を開閉するシャッタ部材２１が設けられ、このシャッタ部材２１を閉塞位置に保持しておく機構が設けられたディスクカートリッジ１が装着されるカートリッジ装着装置に装着した場合にも、シャッタ開放操作機構９１からの負荷を受けることなく安定した状態で装着することができる。
また、本例のディスクカートリッジ２０１は、収納した光ディスク２の記録容量や光ディスク２の種類を識別するための複数のディスク識別部２０４，２０５，２０６が下ハーフ４側に形成されている。これらディスク識別部２０４，２０５，２０６は、図２４及び図２５に示すように、ディスク収納部６と湾曲部１０とにより囲まれた領域内とともに、ディスク収納部６が設けられた領域内にも形成されている。ここで、ディスク収納部６と湾曲部１０とにより囲まれた領域に設けられるディスク識別部２０４，２０５は、下ハーフ４の一部に透孔若しくは有底の凹部を形成して構成されている。ディスク収納部６内に設けられる識別部２０６は、有底の凹部として形成されている。これは、ディスク収納部６に塵埃等が進入してしまうことを防止するためである。
このように、ディスク収納部６が設ける領域にまでディスク識別部２０６を設けることにより、小型のディスクカートリッジ２０１においても、多数のディスク識別部を設けることができ、複数種類の光ディスクを収納して多様なディスクカートリッジを構成でき、これら多様なディスクカートリッジを容易に識別することが可能となる。
なお、上述したようなディスク識別部２０４，２０５，２０６は、前述したディスクカートリッジ１にも、上述のディスクカートリッジ２０１と同様に設けるようにしてもよい。
上述した説明では、本発明を再生専用の光ディスクを収納した例を挙げて説明したが、本発明は、記録再生が可能な光ディスク等、その他のディスクを収納したディスクカートリッジにも適用でき、上述したディスクカートリッジに適用した場合と同様の利点を得ることができる。
また、上述した説明において、ディスクカートリッジの一層の小型化を実現するため、カートリッジ本体として前面側を円弧状部としたものを用いた例を挙げて説明したが、本発明は、このようなカートリッジ本体を用いるものに限定されることなく、従来広く用いられている矩形状のカートリッジ本体を用いたディスクカートリッジにも適用することができる。
本発明は、図面を参照して説明した上述の実施例に限定されるものではなく、添付の請求の範囲及びその主旨を逸脱することなく、様々な変更、置換又はその同等のものを行うことができることは当業者にとって明らかである。
【図１】
2005098857.tif 000002
【図２】
2005098857.tif 000003
【図３】
2005098857.tif 000004
【図４】
2005098857.tif 000005
【図５】
2005098857.tif 000006
【図６】
2005098857.tif 000007
【図７】
2005098857.tif 000008
【図８】
2005098857.tif 000009
【図９】
2005098857.tif 000010
【図１０】
2005098857.tif 000011
【図１１】
2005098857.tif 000012
【図１２】
2005098857.tif 000013
【図１３】
2005098857.tif 000014
【図１４】
2005098857.tif 000015
【図１５】
2005098857.tif 000016
【図１６】
2005098857.tif 000017
【図１７】
2005098857.tif 000018
【図１８】
2005098857.tif 000019
【図１９】
2005098857.tif 000020
【図２０】
2005098857.tif 000021
【図２１】
2005098857.tif 000022
【図２２】
2005098857.tif 000023
【図２３】
2005098857.tif 000024
【図２４】
2005098857.tif 000025
【図２５】
2005098857.tif 000026
【図２６】
2005098857.tif 000027
【国際調査報告】
2005098857.tif 000028
2005098857.tif 000029